(57)【要約】【課題】昇降路内の固定部材に据付機器を容易に据え付けることができるエレベータの据付補助装置を得る。【解決手段】エレベータの据付補助装置１０は、据付補助装置本体１２と可動フック１３とを有している。据付補助装置本体１２は、ケース１４と、ケース１４にそれぞれ設けられ、個別に操作可能なフック止め装置１５及び切替スイッチ１６と、ケース１４に設けられ、所定の磁力を発生する吸着状態と所定の磁力の発生を解除する解除状態との間で切替スイッチ１６の操作により切り替え可能なマグネット装置とを有している。可動フック１３は、長尺部１３ａと、長尺部１３ａに設けられた掛け部１３ｂとを有している。また、可動フック１３は、ケース１４と掛け部１３ｂとの距離が変化する方向へケース１４に対して変位可能で、フック止め装置１５の操作によりケース１４に対して固定される。【選択図】図２
2011230876.tif 000002
【特許請求の範囲】
【請求項１】
支持体と、上記支持体にそれぞれ設けられ、個別に操作可能なフック止め装置及び切替スイッチと、上記支持体に設けられ、所定の磁力を発生する吸着状態と上記所定の磁力の発生を解除する解除状態との間で上記切替スイッチの操作により切り替え可能なマグネット装置とを有する据付補助装置本体、及び
フック本体部と、上記フック本体部に設けられた掛け部とを有し、上記支持体と上記掛け部との距離が変化する方向へ上記支持体に対して変位可能で、上記フック止め装置の操作により上記支持体に対して固定される可動フック
を備えていることを特徴とするエレベータの据付補助装置。
【請求項２】
上記フック本体部が互いに重ねられた複数の上記可動フックを備え、
各上記フック本体部は、共通の上記フック止め装置の操作により上記支持体に対してまとめて固定されることを特徴とする請求項１に記載のエレベータの据付補助装置。
【請求項３】
複数の上記据付補助装置本体を備え、
各上記据付補助装置本体は、共通の上記フック本体部により繋がっていることを特徴とする請求項１又は請求項２に記載のエレベータの据付補助装置。
【発明の詳細な説明】
【技術分野】
【０００１】
この発明は、昇降路内に機器を据え付けるときに用いられるエレベータの据付補助装置に関するものである。
【背景技術】
【０００２】
従来、エレベータの乗場出入口の上部に固定されたハンガケースにカバーを据え付けて、ハンガケースのレールをカバーで覆ったエレベータの出入口装置が知られている（例えば特許文献１参照）。
【先行技術文献】
【特許文献】
【０００３】
【特許文献１】特開昭５１−９８８４８号公報
【発明の概要】
【発明が解決しようとする課題】
【０００４】
従来のエレベータの出入口装置では、カバーをハンガケースにねじで据え付ける場合、カバーを手で支えながらねじ止め作業を行わなければならない。この場合、カバーの寸法が大きくなると、カバーを安定的に支えるために、複数の作業者が必要になってしまう。従って、カバーの据え付け作業に手間がかかってしまう。
【０００５】
この発明は、上記のような課題を解決するためになされたものであり、昇降路内の固定部材に据付機器を容易に据え付けることができるエレベータの据付補助装置を得ることを目的とする。
【課題を解決するための手段】
【０００６】
この発明に係るエレベータの据付補助装置は、支持体と、支持体にそれぞれ設けられ、個別に操作可能なフック止め装置及び切替スイッチと、支持体に設けられ、所定の磁力を発生する吸着状態と所定の磁力の発生を解除する解除状態との間で切替スイッチの操作により切り替え可能なマグネット装置とを有する据付補助装置本体、及びフック本体部と、フック本体部に設けられた掛け部とを有し、支持体と掛け部との距離が変化する方向へ支持体に対して変位可能で、フック止め装置の操作により支持体に対して固定される可動フックを備えている。
【発明の効果】
【０００７】
この発明に係るエレベータの据付補助装置では、所定の磁力を発生する吸着状態と所定の磁力の発生を解除する解除状態との間で切替スイッチの操作により切り替え可能なマグネット装置が支持体に設けられ、支持体に対して変位可能な可動フックが、フック止め装置の操作により支持体に対して固定されるので、昇降路内の固定部材に対する据付補助装置本体の着脱を容易にすることができるとともに、固定部材に対して据付機器を可動フックで容易に保持することができる。これにより、据付機器の寸法が大きくなった場合であっても、固定部材に対する据付機器の据え付け作業中に据付機器の一部を据付補助装置で容易に支えておくことができる。これにより、複数の作業者で据付機器を支える手間を減らすことができる。従って、固定部材に据付機器を容易に据え付けることができる。
【図面の簡単な説明】
【０００８】
【図１】この発明の実施の形態１によるエレベータの出入口装置のハンガケースにカバーを据え付けるときの状態を示す一部破断斜視図である。
【図２】図１の据付補助装置を示す斜視図である。
【図３】図２の据付補助装置を示す正面図である。
【図４】図３の据付補助装置を示す側面図である。
【図５】図３の据付補助装置を示す上面図である。
【図６】図２の据付補助装置の上部を示す拡大斜視図である。
【図７】この発明の実施の形態２によるカバーがハンガケースに据え付けられるときのエレベータの出入口装置の上部を示す斜視図である。
【図８】図７のカバーが可動フックに掛けられている部分を示す拡大図である。
【図９】この発明の実施の形態３によるカバーがハンガケースに据え付けられるときのエレベータの出入口装置の上部を示す斜視図である。
【図１０】この発明の実施の形態４によるエレベータの据付補助装置を示す斜視図である。
【図１１】図１０のエレベータの据付補助装置がドアレールに取り付けられている状態を示す拡大斜視図である。
【図１２】この発明の実施の形態４によるエレベータの据付補助装置の他の使用状態を示す斜視図である。
【図１３】この発明の実施の形態５によるエレベータの据付補助装置を示す斜視図である。
【図１４】図１３のエレベータの据付補助装置がドアレールに取り付けられている状態を示す斜視図である。
【発明を実施するための形態】
【０００９】
実施の形態１．
図１は、この発明の実施の形態１によるエレベータの出入口装置のハンガケースにカバーを据え付けるときの状態を示す一部破断斜視図である。図において、エレベータの昇降路内には、乗場出入口１の上部に配置された鉄製のハンガケース（固定部材）２が固定されている。ハンガケース２は、昇降路の内壁面に固定されたハンガケース本体３と、ハンガケース本体３に固定されたドアレール４とを有している。
【００１０】
ハンガケース本体３は、ドアレール４が固定され鉛直に配置された鉛直板部５と、ドアレール４の上方で鉛直板部５から水平に突出する突出部６とを有している。
【００１１】
ドアレール４は、乗場出入口１の間口方向（幅方向）に沿って配置されている。また、ドアレール４は、取付部材７を介して鉛直板部５に固定されている。これにより、ドアレール４と鉛直板部５との間には、隙間が生じている。ドアレール４には、図示しない一対の乗場ドアが掛けられている。乗場出入口１は、各乗場ドアがドアレール４に沿って移動されることにより開閉される。
【００１２】
突出部６には、ドアレール４を覆うカバー（据付機器）８が複数のねじで据え付けられる。カバー８には、一対の長穴９がドアレール４の長さ方向について互いに離して設けられている。
【００１３】
カバー８が突出部６に据え付けられるときには、カバー８を保持する据付補助装置（エレベータの据付補助装置）１０が昇降路内の作業者１１によりドアレール４に一時的に取り付けられる。
【００１４】
図２は、図１の据付補助装置１０を示す斜視図である。また、図３は図２の据付補助装置１０を示す正面図、図４は図３の据付補助装置１０を示す側面図、図５は図３の据付補助装置１０を示す上面図である。さらに、図６は、図２の据付補助装置１０の上部を示す拡大斜視図である。図において、据付補助装置１０は、ドアレール４に接触させて取り付けられる据付補助装置本体１２と、据付補助装置本体１２に設けられ、据付補助装置本体１２に対して変位可能な可動フック１３とを有している。
【００１５】
据付補助装置本体１２は、扁平状のケース（支持体）１４と、ケース１４にそれぞれ設けられ、個別に操作可能なフック止め装置１５及び切替スイッチ１６と、ケース１４内に収容されたマグネット装置１７（図４）とを有している。
【００１６】
ケース１４は、図３〜図５に示すように、ケースの厚さ方向に互いに対向する表面部１４ａ及び裏面部１４ｂと、表面部１４ａ及び裏面部１４ｂのそれぞれの縁部間に設けられ、表面部１４ａ及び裏面部１４ｂ間の空間を囲む側面部１４ｃとを有している。ケース１４の長手方向両端部に位置する側面部１４ｃには、可動フック１３が通される通し穴１８がそれぞれ設けられている。
【００１７】
フック止め装置１５及び切替スイッチ１６は、ケース１４の表面部１４ａに設けられている。また、フック止め装置１５及び切替スイッチ１６は、ケース１４の長手方向について並べて配置されている。
【００１８】
フック止め装置１５は、図４に示すように、表面部１４ａに螺合された状態で表面部１４ａを貫通するねじ部１５ａと、ねじ部１５ａに設けられ、ケース１４外に露出するつまみ部１５ｂとを有している。ねじ部１５ａ及びつまみ部１５ｂは、一体となっている。フック止め装置１５は、つまみ部１５ｂがねじ部１５ａとともに正方向（締まる方向）へ回されることにより裏面部１４ｂに近づく方向へ変位され、つまみ部１５ｂがねじ部１５ａとともに逆方向（緩む方向）へ回されることにより裏面部１４ｂから離れる方向へ変位される。
【００１９】
切替スイッチ１６は、ケース１４外に露出するスイッチ操作部１６ａを有している。また、切替スイッチ１６は、互いに異なるＯＮ位置とＯＦＦ位置との間で変位可能になっている。切替スイッチ１６の位置は、表面部１４ａに垂直な軸線を中心とする切替スイッチ１６の回動により、ＯＮ位置とＯＦＦ位置とで切り替え可能になっている。
【００２０】
マグネット装置１７は、ケース１４内に固定された永久磁石と、切替スイッチ１６に固定され、ＯＮ位置とＯＦＦ位置との間での切替スイッチ１６の位置の切り替えにより永久磁石に対して変位可能な可動鉄心とを有している。
【００２１】
可動鉄心は、切替スイッチ１６のＯＮ位置への変位により永久磁石から離れ、切替スイッチ１６のＯＦＦ位置への変位により永久磁石に接触する。ケース１４外において裏面部１４ｂに対向する領域（裏面側領域）の磁界の強さは、可動鉄心が永久磁石から離れることにより大きくなり、可動鉄心が永久磁石に接触することにより小さくなる。従って、マグネット装置１７の状態は、切替スイッチ１６のＯＮ位置への回動により裏面側領域での磁界の強さを大きくする吸着状態となり、切替スイッチ１６のＯＦＦ位置への回動により裏面側領域での磁界の強さを小さくする解除状態となる。即ち、マグネット装置１７は、ドアレール４を吸着する所定の磁力を裏面側領域に発生する吸着状態と、所定の磁力の大きさを小さくして裏面側領域での所定の磁力の発生を解除する解除状態との間で、切替スイッチ１６の操作により切り替え可能になっている。
【００２２】
可動フック１３は、図２に示すように、各通し穴１８を通されてケース１４内を貫通する長尺部（フック本体部）１３ａと、長尺部１３ａに設けられ、長尺部１３ａに交差する掛け部１３ｂとを有している。
【００２３】
掛け部１３ｂは、長尺部１３ａの一端部のみに設けられている。カバー８は、掛け部１３ｂに載せられることにより据付補助装置１０に保持される。
【００２４】
長尺部１３ａは、ケース１４の長手方向に沿って配置されている。可動フック１３は、ケース１４の長手方向へケース１４に対して変位可能になっている。即ち、可動フック１３は、ケース１４と掛け部１３ｂとの距離が変化する方向へケース１４に対して変位可能になっている。
【００２５】
また、長尺部１３ａは、ねじ部１５ａと裏面部１４ｂとの間を通されている。長尺部１３ａは、締まる方向へつまみ部１５ｂが回されてねじ部１５ａが裏面部１４ｂに近づくことにより、ねじ部１５ａと裏面部１４ｂとの間で挟圧される。これにより、可動フック１３は、ケース１４に対して固定される。また、長尺部１３ａがねじ部１５ａと裏面部１４ｂとの間で挟圧された状態は、緩む方向へつまみ部１５ｂが回されて裏面部１４ｂから離れる方向へねじ部１５ａが変位されることにより解除される。これにより、可動フック１３は、ケース１４の長手方向へケース１４に対して変位可能になる。
【００２６】
長尺部１３ａには、目盛り１９が設けられている。これにより、ケース１４と掛け部１３ｂとの距離が分かるようになっている。
【００２７】
次に、カバー８を突出部６に据え付けるときの手順について説明する。まず、昇降路内に脚立を設置し、掛け部１３ｂの位置がケース１４の下方になるように据付補助装置１０をドアレール４に取り付ける。このとき、裏面部１４ｂをドアレール４に接触させた状態で、切替スイッチ１６をＯＦＦ位置からＯＮ位置に回動させる。これにより、据付補助装置本体１２がドアレール４に吸着され、据付補助装置１０がドアレール４に取り付けられる。この例では、ドアレール４に取り付ける据付補助装置１０の数は１つのみとしている。
【００２８】
この後、つまみ部１５ｂを緩めてケース１４に対して可動フック１３を可動とした後、可動フック１３を上下に変位させながら、ケース１４に対する可動フック１３の位置を調整する。このとき、目盛り１９を見ながら、ケース１４と掛け部１３ｂとの距離を調整する。この後、つまみ部１５ｂを締めて可動フック１３をケース１４に固定する。
【００２９】
この後、カバー８を持ち上げて、カバー８の一端部を掛け部１３ｂに載せ、カバー８の他端部は手で支えておく。これにより、カバー８の上部が突出部６に対向した状態でカバー８が保持される。この後、カバー８の他端部を手で支えながら、突出部６のねじ穴の位置にカバー８のねじ通し穴の位置を合わせ、カバー８を突出部６にねじで緩く止める。
【００３０】
この後、カバー８の据付補助装置１０で支えられている一端部を手で持ち上げて、切替スイッチ１６をＯＦＦ位置に切り替えることにより据付補助装置１０をドアレール４から取り外す。この後、カバー８の一端部についても、突出部６のねじ穴の位置にカバー８のねじ通し穴の位置を合わせ、カバー８を突出部６にねじで緩く止める。この後、複数の箇所でねじを硬く締めてカバー８を突出部６に固定する。このようにして、カバー８を突出部６に据え付ける。
【００３１】
このようなエレベータの据付補助装置１０では、所定の磁力を発生する吸着状態と所定の磁力の発生を解除する解除状態との間で切替スイッチ１６の操作により切り替え可能なマグネット装置１７がケース１４に設けられ、ケース１４に対して変位可能な可動フック１３が、フック止め装置１５の操作によりケース１４に対して固定されるので、ドアレール４に対する据付補助装置本体１２の着脱を容易にすることができるとともに、可動フック１３にカバー８を載せることにより、ハンガケース２に対するカバー８の保持を容易にすることができる。これにより、カバー８の寸法が大きくなった場合であっても、ハンガケース２に対するカバー８の据え付け作業中にカバー８の一部を据付補助装置１０で容易に支えておくことができる。これにより、複数の作業者でカバー８を支える手間を減らすことができ、１人の作業者で作業を行うことができる。また、ケース１４に対する可動フック１３の位置の調整により、据付補助装置１０で支えられるカバー８のおおよその位置を決めておくこともできる。これにより、突出部６に対するねじ止め位置にカバー８を近づけて保持することができ、突出部６に対するカバー８のねじ止め作業も容易にすることができる。従って、ハンガケース２にカバー８を容易に据え付けることができる。
【００３２】
また、可動フック１３の長尺部１３ａには、目盛り１９が設けられているので、ケース１４と掛け部１３ｂとの距離を容易かつ正確に知ることができる。従って、据付補助装置１０でカバー８を支える位置をより正確に決めることができる。これにより、ハンガケース２に対するカバー８の据え付け作業をさらに容易にすることができる。
【００３３】
実施の形態２．
実施の形態１では、可動フック１３の掛け部１３ｂにカバー８の下縁部を載せることによりカバー８を据付補助装置１０で支えるようになっているが、掛け部１３ｂを長穴９に通した状態で掛け部１３ｂにカバー８を掛けることによりカバー８を据付補助装置１０で支えるようにしてもよい。
【００３４】
即ち、図７は、この発明の実施の形態２によるカバー８がハンガケース２に据え付けられるときのエレベータの出入口装置の上部を示す斜視図である。また、図８は、図７のカバー８が可動フック１３に掛けられている部分を示す拡大図である。突出部６にカバー８を据え付けるときには、ドアレール４に２つの据付補助装置１０を互いに間隔をあけて取り付けておく。このとき、各据付補助装置１０間の距離は、各長穴９間の距離に合わせておく。
【００３５】
この後、カバー８を持ち上げて、各長穴９に各掛け部１３ｂを個別に通し、各掛け部１３ｂにカバー８を掛ける。これにより、カバー８がハンガケース２に対して保持される。
【００３６】
この後、カバー８の一端部を手で支えながら一方の据付補助装置１０からカバー８を外す。この後、カバー８が外された据付補助装置１０をドアレール４から取り外し、カバー８の一端部を突出部６の位置まで持ち上げる。この後、カバー８の一端部を突出部６にねじで緩く止める。
【００３７】
この後、同様に、カバー８の他端部を手で支えながら残りの据付補助装置１０からカバー８を外し、残りの据付補助装置１０をドアレール４から取り外した後、カバー８の他端部を突出部６の位置まで持ち上げる。この後、カバー８の他端部を突出部６にねじで緩く止める。この後、複数の箇所でねじを硬く締めてカバー８を突出部６に固定する。他の構成及び手順は実施の形態１と同様である。
【００３８】
このように、長穴９に掛け部１３ｂを通した状態で掛け部１３ｂにカバー８を掛けてカバー８を据付補助装置１０で支えるようにしても、ハンガケース２に対するカバー８の保持を容易にすることができる。これにより、カバー８の寸法が大きくなった場合であっても、ハンガケース２に対するカバー８の据え付け作業中にカバー８の一部を据付補助装置１０で支えておくことができ、複数の作業者でカバー８を支える手間を減らすことができる。また、カバー８を据付補助装置１０で支えている状態でも、切替スイッチ１６がカバー８で隠れないようにすることができ、切替スイッチ１６を容易に操作することができる。
【００３９】
実施の形態３．
図９は、この発明の実施の形態３によるカバー８がハンガケース２に据え付けられるときのエレベータの出入口装置の上部を示す斜視図である。この例では、掛け部１３ｂの位置が据付補助装置本体１２の上方になるように据付補助装置本体１２に対して可動フック１３を差し替えておく。
【００４０】
突出部６にカバー８を据え付けるときには、据付補助装置本体１２をカバー８に吸着させることにより、２つの据付補助装置１０をカバー８に互いに間隔をあけて取り付けておく。この後、各据付補助装置１０とともにカバー８を持ち上げて、図９に示すように、各掛け部１３ｂをドアレール４に掛ける。これにより、カバー８がハンガケース２に対して保持される。
【００４１】
この後、カバー８の一端部を手で支えながら、切替スイッチ１６をＯＦＦ位置に切り替えることにより一方の据付補助装置１０をカバー８から外す。この後、カバー８の一端部を突出部６の位置まで持ち上げ、カバー８の一端部を突出部６にねじで緩く止める。
【００４２】
この後、カバー８の他端部についても、同様にして、突出部６にねじで緩く止める。この後、複数の箇所でねじを硬く締めてカバー８を突出部６に固定する。他の構成及び手順は実施の形態１と同様である。
【００４３】
このように、カバー８に据付補助装置本体１２を取り付け、掛け部１３ｂをドアレール４に掛けることにより、カバー８を据付補助装置１０で支えるようにしても、ハンガケース２に対するカバー８の保持を容易にすることができる。これにより、カバー８の寸法が大きくなった場合であっても、ハンガケース２に対するカバー８の据え付け作業中にカバー８の一部を据付補助装置１０で支えておくことができ、複数の作業者でカバー８を支える手間を減らすことができる。また、カバー８に据付補助装置１０を取り付けた状態でカバー８を運ぶことができるので、ハンガケース２にカバー８を据え付ける前に脚立に登って据付補助装置１０をドアレール４に取り付けておく手間をなくすことができ、突出部６に対するカバー８の据え付け作業をさらに容易にすることができる。
【００４４】
実施の形態４．
図１０は、この発明の実施の形態４によるエレベータの据付補助装置を示す斜視図である。また、図１１は、図１０のエレベータの据付補助装置がドアレールに取り付けられている状態を示す拡大斜視図である。図において、据付補助装置１０は、実施の形態１と同様の据付補助装置本体１２と、据付補助装置本体１２に対して変位可能な複数（この例では、２つ）の可動フック１３，２１とを有している。
【００４５】
一方の可動フック１３は、長尺部（フック本体部）１３ａと、長尺部１３ａに設けられ、長尺部１３ａに交差する掛け部１３ｂとを有している。掛け部１３ｂは、長尺部１３ａの一端部のみに設けられている。
【００４６】
他方の可動フック２１は、長尺部（フック本体部）２１ａと、長尺部２１ａに設けられ、長尺部２１ａに交差する掛け部２１ｂとを有している。掛け部２１ｂは、長尺部２１ａの一端部のみに設けられている。
【００４７】
一方の掛け部１３ｂはケース１４の長手方向一端部側に位置し、他方の掛け部２１ｂはケース１４の長手方向他端部側に位置している。即ち、一方の掛け部１３ｂの位置と、他方の掛け部２１ｂの位置とは、ケース１４の長手方向について、ケース１４を挟んで互いに反対の位置となっている。また、長尺部１３ａに対する掛け部１３ｂの向きと、長尺部２１ａに対する掛け部２１ｂの向きとは、ケース１４の厚さ方向について互いに逆になっている。
【００４８】
各長尺部１３ａ，２１ａは、互いに重ねられた状態で各通し穴１８を通されてケース１４内を貫通している。また、各長尺部１３ａ，２１ａは、ケース１４の長手方向に沿って配置されている。各可動フック１３，２１は、ケース１４の長手方向へケース１４に対して個別に変位可能になっている。即ち、各可動フック１３，２１は、掛け部１３ｂ，２１ｂとケース１４との距離が変化する方向へケース１４に対して個別に変位可能になっている。各長尺部１３ａ，２１ａには、目盛り１９がそれぞれ設けられている。
【００４９】
各長尺部１３ａ，２１ａは、フック止め装置１５のねじ部１５ａとケース１４の裏面部１４ｂとの間に通されている。各長尺部１３ａ，２１ａは、締まる方向へつまみ部１５ｂが回されてねじ部１５ａが裏面部１４ｂに近づくことにより、ねじ部１５ａと裏面部１４ｂとの間でまとめて挟圧される。これにより、各可動フック１３，２１は、ケース１４に対してまとめて固定される。即ち、各可動フック１３，２１は、共通のフック止め装置１５の操作により、ケース１４に対してまとめて固定される。また、各長尺部１３ａ，２１ａがねじ部１５ａと裏面部１４ｂとの間でまとめて挟圧された状態は、緩む方向へつまみ部１５ｂが回されて裏面部１４ｂから離れる方向へねじ部１５ａが変位されることにより解除される。
【００５０】
ハンガケース２の鉛直板部５には、ハンガケース内部材２２が固定されている。ハンガケース内部材２２は、ドアレール４よりも上方で、かつ突出部６よりも下方に配置されている。カバー８を据付補助装置１０で支えるときには、据付補助装置本体１２をドアレール４に取り付けた状態で、一方の可動フック１３の掛け部１３ｂにカバー８が掛けられ、他方の可動フック２１の掛け部２１ｂがハンガケース内部材２２に掛けられる。他の構成及び手順は実施の形態２と同様である。
【００５１】
このようなエレベータの据付補助装置１０では、複数の可動フック１３，２１の長尺部１３ａ，２１ａが互いに重ねられ、各長尺部１３ａ，２１ａが共通のフック止め装置１５の操作によりケース１４に対してまとめて固定されるので、一方の可動フック１３でカバー８を支えることができるとともに、固定物であるハンガケース内部材２２に他方の可動フック２１を掛けることができる。これにより、据付補助装置本体１２がカバー８の重みでドアレール４から外れて落下することをより確実に防止することができる。
【００５２】
なお、他方の可動フック２１をケース１４から一旦抜いて、掛け部２１ｂの向きを反対方向へ変えてから、ケース１４内に差し込むことにより、図１２に示すように、長尺部１３ａに対する掛け部１３ｂの向きと、長尺部２１ａに対する掛け部２１ｂの向きとを同じ側にすることができる。これにより、長尺部２１ａに対する掛け部２１ｂの向きをハンガケース内部材２２の位置に応じて変えることができ、据付補助装置１０の使用範囲を広げることができる。
【００５３】
なお、上記の例では、長尺部が互いに重ねられる可動フックの数が２つとされているが、長尺部が互いに重ねられる可動フックの数を３つ以上としてもよい。
【００５４】
実施の形態５．
図１３は、この発明の実施の形態５によるエレベータの据付補助装置を示す斜視図である。また、図１４は、図１３のエレベータの据付補助装置がドアレールに取り付けられている状態を示す斜視図である。図において、据付補助装置１０は、複数（この例では、２つ）の据付補助装置本体１２と、各据付補助装置本体１２に対して変位可能な可動フック３１とを有している。各据付補助装置本体１２の構成は、実施の形態１における据付補助装置本体１２の構成と同様とされている。
【００５５】
可動フック３１は、各据付補助装置本体１２を繋ぐ共通の長尺部（フック本体部）３１ａと、長尺部３１ａに設けられ、長尺部３１ａに交差する掛け部３１ｂとを有している。掛け部３１ｂは、長尺部３１ａの一端部のみに設けられている。
【００５６】
長尺部３１ａは、各通し穴１８を通されて各ケース１４内を貫通している。また、長尺部３１ａは、各ケース１４の長手方向に沿って配置されている。可動フック３１は、ケース１４の長手方向へ各ケース１４に対して変位可能になっている。即ち、可動フック３１は、各ケース１４と掛け部３１ｂとの距離が変化する方向へ各ケース１４に対して変位可能になっている。また、長尺部３１ａには、目盛り１９が設けられている。
【００５７】
突出部６にカバー８を据え付けるときには、２つの据付補助装置１０を互いに間隔をあけてカバー８に取り付けておく。このとき、各据付補助装置１０では、下側の据付補助装置本体１２のみをカバー８に吸着させた状態としておく。この後、各据付補助装置１０とともにカバー８を持ち上げて、各据付補助装置１０における上側の据付補助装置本体１２のそれぞれをドアレール４に吸着させる。これにより、カバー８がハンガケース２に対して保持される。
【００５８】
この後、カバー８の一端部を手で支えながら、各据付補助装置１０のうち、カバー８の一端部に近い側の一方の据付補助装置１０をドアレール４及びカバー８のそれぞれから取り外す。この後、カバー８の一端部を突出部６の位置まで持ち上げ、カバー８の一端部を突出部６にねじで緩く止める。
【００５９】
この後、カバー８の他端部についても、同様にして、他方の据付補助装置１０を取り外し、突出部６にねじで緩く止める。この後、複数の箇所でねじを硬く締めてカバー８を突出部６に固定する。他の構成及び手順は実施の形態１と同様である。
【００６０】
このようなエレベータの据付補助装置では、複数の据付補助装置本体１２が共通の長尺部３１ａにより繋がっているので、一方の据付補助装置本体１２をドアレール４に吸着させ、他方の据付補助装置本体１２をカバー８に吸着させることにより、ハンガケース２に対してカバー８を保持させることができる。これにより、ハンガケース２及びカバー８のいずれにも掛け部３１ｂを掛ける部分がない場合であっても、ハンガケース２にカバー８を容易に保持させることができる。従って、据付補助装置１０の使用範囲をさらに広げることができる。
【００６１】
なお、上記実施の形態５に実施の形態４の構成を適用してもよい。即ち、上記の例では、複数の据付補助装置本体１２を繋ぐ共通の可動フック３１が１つのみとされているが、長尺部が互いに重ねられた複数の可動フックのそれぞれを、各据付補助装置本体１２を繋ぐ共通の可動フックとしてもよい。
【００６２】
また、各上記実施の形態では、昇降路内に設けられた固定部材がハンガケース２とされ、固定部材に据え付けられる据付機器がカバー８とされているが、これに限定されず、昇降路内に固定された固定部材に据え付けられるものであれば、この発明を適用することができる。
【００６３】
また、各上記実施の形態では、フック止め装置１５、切替スイッチ１６及びマグネット装置１７が設けられた支持体としてケース１４が用いられているが、ケース１４に限らず、例えばフレーム（枠体）等を支持体としてもよい。
【符号の説明】
【００６４】
１０  据付補助装置、１２  据付補助装置本体、１３，２１，３１  可動フック、１３ａ，２１ａ，３１ａ  長尺部（フック本体部）、１３ｂ，２１ｂ，３１ｂ  掛け部、１４  ケース（支持体）、１５  フック止め装置、１６  切替スイッチ、１７  マグネット装置。
【図１】
2011230876.tif 000003
【図２】
2011230876.tif 000004
【図３】
2011230876.tif 000005
【図４】
2011230876.tif 000006
【図５】
2011230876.tif 000007
【図６】
2011230876.tif 000008
【図７】
2011230876.tif 000009
【図８】
2011230876.tif 000010
【図９】
2011230876.tif 000011
【図１０】
2011230876.tif 000012
【図１１】
2011230876.tif 000013
【図１２】
2011230876.tif 000014
【図１３】
2011230876.tif 000015
【図１４】
2011230876.tif 000016